【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
所定の判別条件が成立したことに基づいて判別を実行する判別手段と、
その判別手段の判別結果が予め定められた特定の判別結果となったことに基づいて、遊技者に有利な特典遊技を実行する特典遊技実行手段と、
識別情報を表示可能な表示手段と、
前記判別手段の判別が実行されたことに基づいて、前記判別手段の判別結果を示すための前記識別情報が前記表示手段において動的表示される演出態様を少なくとも含む所定の演出を実行可能な演出実行手段と、を備えた遊技機において、
第１の設定条件が成立したことに基づいて所定の遊技状態を設定し、前記第１の設定条件とは異なる第２の設定条件が成立したことに基づいて前記所定の遊技状態を設定する所定遊技状態設定手段を備え、
前記遊技機は、
前記第１の設定条件が成立したことに基づいて設定された前記所定の遊技状態において、前記第２の設定条件が成立したことに基づいて設定された前記所定の遊技状態で実行される前記所定の演出には含まれない特定の演出態様が含まれる特定演出を実行可能であり、
前記特定演出の実行中に、前記判別手段による判別の有利度合いを動的表示されている前記識別情報を用いて示唆可能であり、
前記遊技機は、
遊技球が入球可能な入球手段と、
その入球手段へと遊技球が入球可能となる第１位置と、前記入球手段へと遊技球が入球困難となる第２位置と、に変位可能な変位手段と、
所定の実行条件が成立したことに基づいて、前記変位手段が所定の変位パターンで変位される変位遊技を実行する変位遊技実行手段と、
前記入球手段へと遊技球が入球したことに基づいて、前記判別手段の判別に用いる判別情報を取得可能な判別情報取得手段と、
前記判別手段によって判別が実行されたことに基づいて、当該判別の判別結果を示すまでの期間を決定する期間決定手段と、
その期間決定手段によって前記期間を決定するための情報を規定した規定情報として、第１規定情報と第２規定情報とを少なくとも含む複数の前記規定情報が記憶されている記憶手段と、を有し、
前記所定の変位パターンとして、第１の変位パターンと、その第１の変位パターンよりも前記入球手段へと遊技球が入球し易くなる第２の変位パターンと、を少なくとも有し、
前記所定の遊技状態は、前記所定の実行条件が成立した場合に前記変位手段が前記第１の変位パターンで変位され易い遊技状態であり、
前記演出実行手段は、前記期間決定手段によって決定された前記期間において前記所定の演出を実行可能な構成であり、
前記期間決定手段は、
前記特定演出の実行期間において前記判別手段によって判別が実行された場合に、前記第１規定情報を用いて前記期間を決定可能であり、
前記第１の設定条件が成立したことに基づいて設定された前記所定の遊技状態において前記特定演出の実行期間外で前記判別手段によって判別が実行された場合と、前記第２の設定条件が成立したことに基づいて設定された前記所定の遊技状態で前記判別手段によって判別が実行された場合とで、前記第２規定情報を用いて前記期間を決定可能な構成であり、
前記特定演出は、前記所定の遊技状態よりも遊技者に有利な特定遊技状態において実行されない演出であることを特徴とする遊技機。
【請求項２】
前記第２の設定条件は、前記特典遊技が終了した場合に成立する条件であり、
前記第１の設定条件は、前記遊技機の設定が初期化された場合に成立する条件であることを特徴とする請求項１記載の遊技機。
【請求項３】
前記遊技機は、前記所定の遊技状態が設定されてから、予め定められた特定回数の判別に渡って連続して前記特定の判別結果とは異なる外れ判別結果となったことに基づいて、前記特定演出を実行可能な構成であることを特徴とする請求項１又は２記載の遊技機。
【請求項４】
前記遊技機は、前記所定の遊技状態が設定された後における前記外れ判別結果の連続回数が前記特定回数の倍数になったことに基づいて、前記特定演出を実行可能な構成であることを特徴とする請求項３記載の遊技機。
【請求項５】
前記判別手段による判別の有利度合いに対応する特定要素を、第１の有利度合いに対応する第１状態と、前記第１の有利度合いよりも高い第２の有利度合いに対応する第２状態と、を少なくとも含む複数のうち１の状態に設定することが可能な特定要素設定手段と、
前記特定演出の種別として、前記第２状態よりも前記第１状態の方が実行される割合が高くなる第１特定演出と、前記第１状態よりも前記第２状態の方が実行される割合が高くなる第２特定演出と、を少なくとも含む複数のうち１の種別を決定する種別決定手段と、を備えることを特徴とする請求項１から４のいずれかに記載の遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて行われる抽選の結果が当たりだった場合に、当たり状態へと移行するものがある。かかる遊技機の中には、例えば、有利度合いの異なる複数の当たり種別を設けることにより、興趣向上を図っているものも存在する。
【手続補正３】
【補正対象書類名】明細書
【補正対象項目名】０００３
【補正方法】変更
【補正の内容】
【０００３】
【特許文献１】特許第２５１４４１７号公報
【手続補正４】
【補正対象書類名】明細書
【補正対象項目名】０００４
【補正方法】変更
【補正の内容】
【０００４】
しかしながら、更なる興趣向上が求められていた。
【手続補正５】
【補正対象書類名】明細書
【補正対象項目名】０００５
【補正方法】変更
【補正の内容】
【０００５】
本発明は、上記例示した問題点等を解決するためになされたものであり、遊技者の遊技に対する興趣を向上させることができる遊技機を提供することを目的とする。
【手続補正６】
【補正対象書類名】明細書
【補正対象項目名】０００６
【補正方法】変更
【補正の内容】
【０００６】
この目的を達成するために請求項１記載の遊技機は、所定の判別条件が成立したことに基づいて判別を実行する判別手段と、その判別手段の判別結果が予め定められた特定の判別結果となったことに基づいて、遊技者に有利な特典遊技を実行する特典遊技実行手段と、識別情報を表示可能な表示手段と、前記判別手段の判別が実行されたことに基づいて、前記判別手段の判別結果を示すための前記識別情報が前記表示手段において動的表示される演出態様を少なくとも含む所定の演出を実行可能な演出実行手段と、を備え、第１の設定条件が成立したことに基づいて所定の遊技状態を設定し、前記第１の設定条件とは異なる第２の設定条件が成立したことに基づいて前記所定の遊技状態を設定する所定遊技状態設定手段を備え、前記遊技機は、前記第１の設定条件が成立したことに基づいて設定された前記所定の遊技状態において、前記第２の設定条件が成立したことに基づいて設定された前記所定の遊技状態で実行される前記所定の演出には含まれない特定の演出態様が含まれる特定演出を実行可能であり、前記特定演出の実行中に、前記判別手段による判別の有利度合いを動的表示されている前記識別情報を用いて示唆可能であり、前記遊技機は、遊技球が入球可能な入球手段と、その入球手段へと遊技球が入球可能となる第１位置と、前記入球手段へと遊技球が入球困難となる第２位置と、に変位可能な変位手段と、所定の実行条件が成立したことに基づいて、前記変位手段が所定の変位パターンで変位される変位遊技を実行する変位遊技実行手段と、前記入球手段へと遊技球が入球したことに基づいて、前記判別手段の判別に用いる判別情報を取得可能な判別情報取得手段と、前記判別手段によって判別が実行されたことに基づいて、当該判別の判別結果を示すまでの期間を決定する期間決定手段と、その期間決定手段によって前記期間を決定するための情報を規定した規定情報として、第１規定情報と第２規定情報とを少なくとも含む複数の前記規定情報が記憶されている記憶手段と、を有し、前記所定の変位パターンとして、第１の変位パターンと、その第１の変位パターンよりも前記入球手段へと遊技球が入球し易くなる第２の変位パターンと、を少なくとも有し、前記所定の遊技状態は、前記所定の実行条件が成立した場合に前記変位手段が前記第１の変位パターンで変位され易い遊技状態であり、前記演出実行手段は、前記期間決定手段によって決定された前記期間において前記所定の演出を実行可能な構成であり、前記期間決定手段は、前記特定演出の実行期間において前記判別手段によって判別が実行された場合に、前記第１規定情報を用いて前記期間を決定可能であり、前記第１の設定条件が成立したことに基づいて設定された前記所定の遊技状態において前記特定演出の実行期間外で前記判別手段によって判別が実行された場合と、前記第２の設定条件が成立したことに基づいて設定された前記所定の遊技状態で前記判別手段によって判別が実行された場合とで、前記第２規定情報を用いて前記期間を決定可能な構成であり、前記特定演出は、前記所定の遊技状態よりも遊技者に有利な特定遊技状態において実行されない演出である。
【手続補正７】
【補正対象書類名】明細書
【補正対象項目名】０００７
【補正方法】変更
【補正の内容】
【０００７】
請求項２記載の遊技機は、請求項１記載の遊技機において、前記第２の設定条件は、前記特典遊技が終了した場合に成立する条件であり、前記第１の設定条件は、前記遊技機の設定が初期化された場合に成立する条件である。
【手続補正８】
【補正対象書類名】明細書
【補正対象項目名】０００８
【補正方法】変更
【補正の内容】
【０００８】
請求項３記載の遊技機は、請求項１又は２記載の遊技機において、前記遊技機は、前記所定の遊技状態が設定されてから、予め定められた特定回数の判別に渡って連続して前記特定の判別結果とは異なる外れ判別結果となったことに基づいて、前記特定演出を実行可能な構成である。
請求項４記載の遊技機は、請求項３記載の遊技機において、前記遊技機は、前記所定の遊技状態が設定された後における前記外れ判別結果の連続回数が前記特定回数の倍数になったことに基づいて、前記特定演出を実行可能な構成である。
請求項５記載の遊技機は、請求項１から４のいずれかに記載の遊技機において、前記判別手段による判別の有利度合いに対応する特定要素を、第１の有利度合いに対応する第１状態と、前記第１の有利度合いよりも高い第２の有利度合いに対応する第２状態と、を少なくとも含む複数のうち１の状態に設定することが可能な特定要素設定手段と、前記特定演出の種別として、前記第２状態よりも前記第１状態の方が実行される割合が高くなる第１特定演出と、前記第１状態よりも前記第２状態の方が実行される割合が高くなる第２特定演出と、を少なくとも含む複数のうち１の種別を決定する種別決定手段と、を備える。
【手続補正９】
【補正対象書類名】明細書
【補正対象項目名】０００９
【補正方法】変更
【補正の内容】
【０００９】
請求項１記載の遊技機によれば、所定の判別条件が成立したことに基づいて判別を実行する判別手段と、その判別手段の判別結果が予め定められた特定の判別結果となったことに基づいて、遊技者に有利な特典遊技を実行する特典遊技実行手段と、識別情報を表示可能な表示手段と、前記判別手段の判別が実行されたことに基づいて、前記判別手段の判別結果を示すための前記識別情報が前記表示手段において動的表示される演出態様を少なくとも含む所定の演出を実行可能な演出実行手段と、を備え、第１の設定条件が成立したことに基づいて所定の遊技状態を設定し、前記第１の設定条件とは異なる第２の設定条件が成立したことに基づいて前記所定の遊技状態を設定する所定遊技状態設定手段を備え、前記遊技機は、前記第１の設定条件が成立したことに基づいて設定された前記所定の遊技状態において、前記第２の設定条件が成立したことに基づいて設定された前記所定の遊技状態で実行される前記所定の演出には含まれない特定の演出態様が含まれる特定演出を実行可能であり、前記特定演出の実行中に、前記判別手段による判別の有利度合いを動的表示されている前記識別情報を用いて示唆可能であり、前記遊技機は、遊技球が入球可能な入球手段と、その入球手段へと遊技球が入球可能となる第１位置と、前記入球手段へと遊技球が入球困難となる第２位置と、に変位可能な変位手段と、所定の実行条件が成立したことに基づいて、前記変位手段が所定の変位パターンで変位される変位遊技を実行する変位遊技実行手段と、前記入球手段へと遊技球が入球したことに基づいて、前記判別手段の判別に用いる判別情報を取得可能な判別情報取得手段と、前記判別手段によって判別が実行されたことに基づいて、当該判別の判別結果を示すまでの期間を決定する期間決定手段と、その期間決定手段によって前記期間を決定するための情報を規定した規定情報として、第１規定情報と第２規定情報とを少なくとも含む複数の前記規定情報が記憶されている記憶手段と、を有し、前記所定の変位パターンとして、第１の変位パターンと、その第１の変位パターンよりも前記入球手段へと遊技球が入球し易くなる第２の変位パターンと、を少なくとも有し、前記所定の遊技状態は、前記所定の実行条件が成立した場合に前記変位手段が前記第１の変位パターンで変位され易い遊技状態であり、前記演出実行手段は、前記期間決定手段によって決定された前記期間において前記所定の演出を実行可能な構成であり、前記期間決定手段は、前記特定演出の実行期間において前記判別手段によって判別が実行された場合に、前記第１規定情報を用いて前記期間を決定可能であり、前記第１の設定条件が成立したことに基づいて設定された前記所定の遊技状態において前記特定演出の実行期間外で前記判別手段によって判別が実行された場合と、前記第２の設定条件が成立したことに基づいて設定された前記所定の遊技状態で前記判別手段によって判別が実行された場合とで、前記第２規定情報を用いて前記期間を決定可能な構成であり、前記特定演出は、前記所定の遊技状態よりも遊技者に有利な特定遊技状態において実行されない演出である。
【手続補正１０】
【補正対象書類名】明細書
【補正対象項目名】００１０
【補正方法】変更
【補正の内容】
【００１０】
これにより、遊技者の遊技に対する興趣を向上させることができるという効果がある。
【手続補正１１】
【補正対象書類名】明細書
【補正対象項目名】００１１
【補正方法】変更
【補正の内容】
【００１１】
請求項２記載の遊技機によれば、請求項１記載の遊技機の奏する効果に加え、前記第２の設定条件は、前記特典遊技が終了した場合に成立する条件であり、前記第１の設定条件は、前記遊技機の設定が初期化された場合に成立する条件である。
【手続補正１２】
【補正対象書類名】明細書
【補正対象項目名】００１２
【補正方法】変更
【補正の内容】
【００１２】
これにより、初期化された際に設定される所定の遊技状態において特定演出の実行し易さを可変させることができるので、所定の遊技状態における遊技が単調となってしまうことを抑制できるという効果がある。
【手続補正１３】
【補正対象書類名】明細書
【補正対象項目名】００１３
【補正方法】変更
【補正の内容】
【００１３】
請求項３記載の遊技機によれば、請求項１又は２記載の遊技機の奏する効果に加え、前記遊技機は、前記所定の遊技状態が設定されてから、予め定められた特定回数の判別に渡って連続して前記特定の判別結果とは異なる外れ判別結果となったことに基づいて、前記特定演出を実行可能な構成である。
【手続補正１４】
【補正対象書類名】明細書
【補正対象項目名】００１４
【補正方法】変更
【補正の内容】
【００１４】
これにより、外れ判別結果が連続することを期待して遊技を行わせるという斬新な遊技性を実現できるという効果がある。
請求項４記載の遊技機によれば、請求項３記載の遊技機の奏する効果に加え、前記遊技機は、前記所定の遊技状態が設定された後における前記外れ判別結果の連続回数が前記特定回数の倍数になったことに基づいて、前記特定演出を実行可能な構成である。
これにより、外れ判別結果の連続回数が特定回数の倍数になる毎に特定演出が実行されるので、特定回数の倍数になるまで遊技を継続しようと思わせることができる。よって、遊技機の稼働率を向上させることができるという効果がある。
請求項５記載の遊技機によれば、請求項１から４のいずれかに記載の遊技機の奏する効果に加え、前記判別手段による判別の有利度合いに対応する特定要素を、第１の有利度合いに対応する第１状態と、前記第１の有利度合いよりも高い第２の有利度合いに対応する第２状態と、を少なくとも含む複数のうち１の状態に設定することが可能な特定要素設定手段と、前記特定演出の種別として、前記第２状態よりも前記第１状態の方が実行される割合が高くなる第１特定演出と、前記第１状態よりも前記第２状態の方が実行される割合が高くなる第２特定演出と、を少なくとも含む複数のうち１の種別を決定する種別決定手段と、を備える。
これにより、特定演出の種別によって特定要素の状態を示唆することができるので、特定要素の状態を推測したいと考える遊技者に対して、所定の遊技状態において特定演出が実行されることを期待して遊技を行わせることができる。よって、遊技者の遊技に対する興趣を向上させることができるという効果がある。
【手続補正１５】
【補正対象書類名】明細書
【補正対象項目名】１３９３８
【補正方法】変更
【補正の内容】
【１３９３８】
なお、上記各実施形態に記載の「球」が特許請求の範囲の「遊技媒体」又は「遊技球」に対応し、上記各実施形態に記載の「役物比率」が特許請求の範囲の「払出手段により払い出された前記遊技媒体の数に対する、前記第１入賞口への入賞に基づいて払い出された前記遊技媒体の数の比率」に対応し、上記各実施形態に記載の「連続役物比率」が特許請求の範囲の「払出手段により払い出された前記遊技媒体の数に対する、前記第２入賞口への入賞に基づいて払い出された前記遊技媒体の数の比率」に対応する。
＜その他＞
従来より、パチンコ機などの遊技機は、遊技盤面上に設けられた始動口に遊技球が入球すると、遊技の当否が抽選され、その抽選結果が当たりであった場合には、遊技者に有利となる特典遊技が実行されるものがある（例えば、特許文献１：特開２０１２−２１７７６６号公報）。
しかしながら、更なる遊技の興趣向上が求められていた。
本技術的思想は、上記例示した問題点等を解決するためになされたものであり、遊技の興趣を向上できる遊技機を提供することを目的とする。
＜手段＞
この目的を達成するために技術的思想１の遊技機は、遊技球が入球可能な入球手段と、その入球手段に遊技球が入球したことに基づいて判別を実行可能な判別手段と、その判別手段による判別結果を示すための識別情報を表示手段に動的表示させることが可能な動的表示手段と、その動的表示手段により識別情報が動的表示される動的表示期間を決定することが可能な動的表示期間決定手段と、前記表示手段に特定の前記判別結果を示すための識別情報が表示された場合に、特典遊技を実行可能な特典遊技実行手段と、その特典遊技実行手段により実行された前記特典遊技の終了後に、遊技者に有利な有利状態を設定可能な有利状態設定手段と、有し、少なくとも特典遊技における所定条件が成立したことに基づいて遊技者に所定数の遊技球を払い出すことが可能な払出手段と、前記有利状態設定手段により設定される前記有利状態の種別として、複数の種別の中から１の種別を決定可能な状態種別決定手段と、を有し、前記状態種別決定手段は、前記払出手段により特定数の遊技球が払い出されるまでの期間が第１期間に設定される第１有利種別と、前記第１期間よりも長い第２期間に設定される第２有利種別と、を決定可能である。
技術的思想２の遊技機は、技術的思想１記載の遊技機において、前記特典遊技実行手段により実行される前記特典遊技の特典種別として第１特典を付与可能な第１特典種別と、前記第１特典よりも遊技者に多くの遊技球を払い出すことが可能な第２特典を付与可能な第２特典種別と、を少なくとも含む複数の前記特典種別の中から１の特典種別を決定可能な特典種別決定手段を有し、前記遊技機は、前記状態種別決定手段により前記第１有利種別が設定された場合のほうが、前記第２有利種別が決定された場合よりも前記第２特典種別の前記特典遊技が実行され易いものである。
技術的思想３の遊技機は、技術的思想２記載の遊技機において、前記有利状態中に実行される前記特典遊技の回数に対して上限回数を設定可能な上限設定手段を有し、前記遊技機は、前記状態種別決定手段により第１有利種別が設定された場合のほうが、前記第２有利種別が決定された場合よりも前記上限回数として多い回数が設定され易いものである。
＜効果＞
技術的思想１記載の遊技機によれば、遊技球が入球可能な入球手段と、その入球手段に遊技球が入球したことに基づいて判別を実行可能な判別手段と、その判別手段による判別結果を示すための識別情報を表示手段に動的表示させることが可能な動的表示手段と、その動的表示手段により識別情報が動的表示される動的表示期間を決定することが可能な動的表示期間決定手段と、前記表示手段に特定の前記判別結果を示すための識別情報が表示された場合に、特典遊技を実行可能な特典遊技実行手段と、その特典遊技実行手段により実行された前記特典遊技の終了後に、遊技者に有利な有利状態を設定可能な有利状態設定手段と、有し、少なくとも特典遊技における所定条件が成立したことに基づいて遊技者に所定数の遊技球を払い出すことが可能な払出手段と、前記有利状態設定手段により設定される前記有利状態の種別として、複数の種別の中から１の種別を決定可能な状態種別決定手段と、を有し、前記状態種別決定手段は、前記払出手段により特定数の遊技球が払い出されるまでの期間が第１期間に設定される第１有利種別と、前記第１期間よりも長い第２期間に設定される第２有利種別と、を決定可能である。
よって、遊技の興趣を向上することができるという効果がある。
技術的思想２記載の遊技機によれば、技術的思想１記載の遊技機の奏する効果に加え、次の効果を奏する。即ち、前記特典遊技実行手段により実行される前記特典遊技の特典種別として第１特典を付与可能な第１特典種別と、前記第１特典よりも遊技者に多くの遊技球を払い出すことが可能な第２特典を付与可能な第２特典種別と、を少なくとも含む複数の前記特典種別の中から１の特典種別を決定可能な特典種別決定手段を有し、前記遊技機は、前記状態種別決定手段により前記第１有利種別が設定された場合のほうが、前記第２有利種別が決定された場合よりも前記第２特典種別の前記特典遊技が実行され易いものである。
よって、遊技の興趣を向上することができるという効果がある。
技術的思想３記載の遊技機によれば、技術的思想２記載の遊技機の奏する効果に加え、次の効果を奏する。即ち、前記有利状態中に実行される前記特典遊技の回数に対して上限回数を設定可能な上限設定手段を有し、前記遊技機は、前記状態種別決定手段により第１有利種別が設定された場合のほうが、前記第２有利種別が決定された場合よりも前記上限回数として多い回数が設定され易いものである。
よって、遊技の興趣を向上することができるという効果がある。
【手続補正１６】
【補正対象書類名】明細書
【補正対象項目名】１３９３９
【補正方法】変更
【補正の内容】
【１３９３９】
１０                      パチンコ機（遊技機）
８１ 第３図柄表示装置（第１１実施形態における表示手段）
１６４ｒ 右第１入球口（第１１実施形態における入球手段）
１６４ｒ１ 開閉扉（第１１実施形態における変位手段）
２０２ｍｅ 変動パターン選択１１テーブル（第１１実施形態における記憶手段）
Ｓ３９２ 第１１実施形態における期間決定手段
Ｓ４５８ 第１１実施形態における判別手段
Ｓ９０２ 第１１実施形態における判別情報取得手段
Ｓ９８２ 第１１実施形態における期間決定手段
Ｓ１０５８ 第１１実施形態における判別手段
Ｓ１１１９〜Ｓ１１２１ 第１１実施形態における変位遊技実行手段
Ｓ１５９３ 第１１実施形態における特典遊技実行手段
Ｓ１９９２ 第１１実施形態における所定遊技状態設定手段の一部
Ｓ３１０４ 第１１実施形態における所定遊技状態設定手段の一部
Ｓ３１０７ 第１１実施形態における特定要素設定手段
Ｓ８２０８ 第１１実施形態における演出実行手段
Ｓ８２８４ 第１１実施形態における種別決定手段
Ｓ１０８５３ 第１１実施形態における特典遊技実行手段